(57)【特許請求の範囲】
【請求項１】
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有し、
上記貯留室が、上記オーバーフロー管に接続される排出口の形成された底壁を有し、
上記底壁が、排出口から外径方向にかけて上方に傾斜した傾斜面を有している排水再利用装置。
【請求項２】
上記傾斜面の傾斜角が５°以上４５°以下である請求項１に記載の排水再利用装置。
【請求項３】
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有し、
上記渦流発生手段が上記排水導入管の吐出口から構成され、
上記吐出口が貯留室の周方向に沿った方向に排水を吐出するよう設けられている排水再利用装置。
【請求項４】
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有し、
上記排水導入管が、排水を分岐する分岐部と、この分岐部から分岐されるとともに上記貯留室の側壁にそれぞれ連結される複数の吐出部とを有し、
上記渦流発生手段が複数の上記吐出部の吐出口から構成され、
複数の上記吐出口が、貯留室の周方向に沿った同一方向に排水を吐出するよう設けられている排水再利用装置。
【請求項５】
上記複数の吐出口が、上記貯留室の上下に配設されている請求項４に記載の排水再利用装置。
【請求項６】
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有し、
上記オーバーフロー管が、上記貯留室の排出口に接続される流入口を有する本体部、及びこの本体部と上記貯留室を連結する連通部を備え、
上記連通部が、オーバーフローする上記貯留室の一定量に対応する位置で上記貯留室の側壁に連結されている排水再利用装置。
【請求項７】
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有し、
上記排水導出管が、上記排水導入管の側壁に接続される接続口を有し、
上記接続口から排水導入時の排水導入管の流れ方向に沿った歯を有する櫛状のゴミ受け部材を有する排水再利用装置。
【発明の詳細な説明】
【技術分野】
【０００１】
本発明は、排水再利用装置に関する。
【背景技術】
【０００２】
従来、洗濯水や水洗トイレの洗浄水として水道水が用いられている。また、洗濯水や水洗トイレの洗浄水としては、水道水を節約するため、風呂の残り湯等が用いられる場合もある。
【０００３】
洗濯水として風呂の残り湯を用いる方法としては、例えば、風呂の残り湯をポンプを用いて洗濯機に供給する方法が知られている。しかしながら、このような方法によって洗濯水を供給する場合、洗濯の都度ポンプを用いて手作業で風呂の残り湯を洗濯機に移し替える必要があり手間である。
【０００４】
また、水洗トイレの洗浄水として風呂の残り湯を用いる方法としては、例えば、風呂の残り湯をバケツで汲んで水洗トイレのロータンクに供給する方法が知られている。しかしながら、このような方法によって水洗トイレのロータンクに残り湯を供給する場合、ロータンクの上蓋を取り外して残り湯を供給し、さらにロータンクの上蓋を閉めるという作業が必要となり大変な手間である。
【０００５】
このような問題を解決すべく、今日では、風呂の残り湯を洗濯水や水洗トイレの洗浄水として容易に利用するための種々の装置が発案されている。
【０００６】
かかる装置としては、例えば排水再利用装置（特開２００４−２０４６６４号公報参照）が発案されている。この排水再利用装置は、排水を貯めることができる排水槽を有しており、この排水槽内の排水をポンプを用いて供給先に供給することができる。しかしながら、この排水再利用装置の排水槽内には、排水と共にこの排水に含まれるゴミも貯留される。それゆえ、この排水再利用装置によると、排水層の底面部にゴミが溜まったり、排水層の側壁にゴミが付着したりするため、排水槽内を清潔に保つためには排水槽を定期的に洗浄することが必要であり手間がかかるという問題を抱えている。
【先行技術文献】
【特許文献】
【０００７】
【特許文献１】特開２００４−２０４６６４号公報
【発明の概要】
【発明が解決しようとする課題】
【０００８】
本発明は、このような不都合に鑑みてなされたものであり、貯留室のゴミを自動的に除去することができ、これにより貯留室の衛生性を向上することができる排水再利用装置の提供を目的とするものである。
【課題を解決するための手段】
【０００９】
上記課題を解決するためになされた発明は、
排水を貯留する略円柱状の貯留室と、
上記貯留室に排水を導入する排水導入管と、
上記排水導入管から導入される排水を導出する排水導出管と、
上記貯留室に貯留される排水が一定量を超えた際に排水を排出するオーバーフロー管と
を備え、
上記排水導入管の導入する排水によって上記貯留室に周方向の渦流を生じさせる渦流発生手段を有する排水再利用装置である。
【００１０】
当該排水再利用装置は、渦流発生手段によって貯留室に渦流を発生させることができるので、この渦流によって貯留室の壁面に付着するゴミを壁面から剥離させやすい。そして、壁面から剥離され貯留室の排水を浮遊するゴミは、オーバーフロー管による排水の排出に際して排水と共に排出されやすい。このため、当該排水再利用装置は、貯留室の壁面にゴミが付着しにくく、貯留室の衛生面を担保しやすい。
【００１１】
当該排水再利用装置は、上記貯留室が、上記オーバーフロー管に接続される排出口の形成された底壁を有し、上記底壁が、排出口から外径方向にかけて上方に傾斜した傾斜面を有しているとよい。このように底壁が傾斜面を有することで、貯留室の排水を浮遊するゴミが底側に沈むと排水口近傍に集まりやすいので、この排水口近傍に集まったゴミがオーバーフロー管から排出されやすい。また、当該排水再利用装置は、底壁が傾斜面を有することで、オーバーフロー管から排水を排出する際に、この排出に際して貯留室の底壁近傍に発生する渦流によって貯留室の底壁の傾斜面に沈積するゴミが的確に排水と共に排出されやすい。
【００１２】
当該排水再利用装置は、上記傾斜面の傾斜角が５°以上４５°以下であるとよい。これにより、貯留室内に沈積しているゴミをさらに効果的に排出することができる。
【００１３】
当該排水再利用装置は、上記渦流発生手段が上記排水導入管の吐出口から構成され、上記吐出口が貯留室の周方向に沿った方向に排水を吐出するよう設けられているとよい。これにより、簡易な構造で効果的に渦流を発生させることができる。
【００１４】
当該排水再利用装置は、上記排水導入管が、排水を分岐する分岐部と、この分岐部から分岐されるとともに上記貯留室の側壁にそれぞれ連結される複数の吐出部とを有し、上記渦流発生手段が複数の上記吐出部の吐出口から構成され、複数の上記吐出口が、貯留室の周方向に沿った同一方向に排水を吐出するよう設けられているとよい。これにより、渦流の発生を効果的に促進することができる。
【００１５】
当該排水再利用装置は、上記複数の吐出口が、上記貯留室の上下に配設されているとよい。これにより、渦流を広範囲に発生させることができるので、この渦流によって貯留室の壁面に付着するゴミを壁面からさらに剥離させやすい。また、当該排水再利用装置は、複数の吐出口が貯留室の上下に配設されていることによって、貯留室内の水圧によって下方の吐出口から貯留室への排水の導入が困難になった場合でも、上方の吐出口から貯留室に排水を容易に導入することができる。従って、当該排水再利用装置は、排水の貯留性を著しく向上させることができる。
【００１６】
当該排水再利用装置は、上記オーバーフロー管が、上記貯留室に接続される流入口を有する本体部、及びこの本体部と上記貯留室とを連結する連通部を備え、上記連通部が、オーバーフローする上記貯留室の一定量に対応する位置で上記貯留室の側壁に連結されているとよい。これにより、貯留室に貯留される排水の量を容易に制御することができる。従って、当該排水再利用装置は、再利用するための排水を確保しつつ、一定量を超える排水についてはオーバーフロー管から好適に排出することができる。また、当該排水再利用装置は、貯留室からの排水を閉空間で行うことができるので、オーバーフロー管を介するゴミの流入を防止することができる。
【００１７】
当該排水再利用装置は、上記排水導出管が、上記排水導入管の側壁に接続される接続口を有し、上記接続口から排水導入時の排水導入管の流れ方向に沿った歯を有する櫛状のゴミ受け部材を有するとよい。これにより、貯留室内のゴミが排水導出管側に流出するのを防ぐことができる。特に、当該排水再利用装置は、ゴミ受け部材が排水導入管の流れ方向に沿った歯を有する櫛状に形成されているので、ゴミ受け部材で一旦捕集したゴミについても排水の流れによって再度貯留室内に流される。従って、当該排水再利用装置は、ゴミ受け部材によって一旦捕集したゴミも再度貯留室に集めてオーバーフロー管から排出することができる。また、当該排水再利用装置は、排水導出管が排水導入管の側壁に接続されているので、貯留室に貯留された排水の他、排水導入管からの排水を直接排水導出管側に流入させることができる。従って、当該排水再利用装置は、必要量に応じた排水を好適に排水導出管側に導出することができる。
【発明の効果】
【００１８】
以上説明したように、本発明の排水再利用装置は、貯留室のゴミを自動的に除去することができ、これにより貯留室の衛生性を向上することができる。
【図面の簡単な説明】
【００１９】
【図１】本発明の一実施形態に係る排水再利用装置を示すフロー図である。
【図２】図１の排水再利用装置の貯留室を示す模式的正面断面図である。
【図３】図１の排水再利用装置の模式的下部平面断面図である。
【図４】図１の排水再利用装置の模式的上部平面断面図である。
【図５】図１の排水再利用装置のＡ−Ａ線断面図である。
【図６】図１の排水再利用装置とは異なる形態に係る排水再利用装置における貯留室と排水導入管との連結構造を示す模式的端面図である。
【発明を実施するための形態】
【００２０】
以下、適宜図面を参照しつつ、本発明の実施の形態を詳説する。
【００２１】
［第一実施形態］
〈排水再利用装置１〉
図１の排水再利用装置１は、貯留室２と、排水導入管３と、排水導出管４と、オーバーフロー管５とを有している。
【００２２】
（貯留室２）
貯留室２は、排水を貯留する室であり、略円柱状に形成されている。貯留室２は、側壁６において排水導入管３と接続されている。貯留室２は、側壁６及び底壁８でオーバーフロー管５に接続されている。貯留室２は、蓋によって天壁が形成されている。
【００２３】
貯留室２の平均直径としては、特に限定されないが、例えば３５ｃｍ以上７５ｃｍ以下とすることができる。貯留室２の平均高さ（天壁から排出口９までの平均高さ）としては、特に限定されないが、例えば８０ｃｍ以上１００ｃｍ以下とすることができる。また、貯留室２の排水貯留容量としては、特に限定されないが、例えば１００Ｌ以上２００Ｌ以下とすることができる。貯留室２は、上記平均直径、平均高さ及び排水貯留容量を有するように形成されることによって、内部に適量の排水を貯留させつつ、壁面に付着するゴミをオーバーフロー管５から好適に排出することができる。貯留室２の形成材料としては、特に限定されないが、ポリエチレン等の合成樹脂が好適に用いられる。
【００２４】
底壁８には、オーバーフロー管５に接続される排出口９が形成されている。底壁８は、排出口９から外径方向にかけて上方に傾斜した傾斜面を有している。当該排水再利用装置１は、上記傾斜面を有していることにより、貯留室２の排水を浮遊するゴミが底側に沈むと排水口９近傍に集まりやすいので、排水口９近傍に集まったゴミがオーバーフロー管５から排出されやすい。また、当該排水再利用装置１は、底壁８が傾斜面を有することで、オーバーフロー管５から排水を排出する際に、この排出に際して貯留室２の底壁８近傍に発生する渦流によって貯留室２の底壁８の傾斜面に沈積するゴミが的確に排水と共に排出されやすい。
【００２５】
傾斜面の傾斜角α（図２参照）としては特に限定されないが、５°以上４５°以下が好ましい。傾斜角αの上限は、４０°がより好ましく、３０°がさらに好ましい。一方、傾斜角αの下限は、１０°がより好ましく、１５°がさらに好ましい。傾斜角αが上記上限を超える場合、貯留室２に沈積しているゴミの排出効率があまり上がらないおそれが高くなると共に、貯留室２の排水貯留容量が少なくなる。逆に傾斜角αが上記下限未満であると、貯留室２内に沈積しているゴミがスムーズに排出されないおそれが高くなる。
【００２６】
底壁８の形状としては、特に限定されないが、排水口９を頂点とする漏斗状に形成されるのが好ましい。また、排水口９は底壁８の略中央に接続されるのが好ましい。当該排水再利用装置１は、底壁８が排水口９を頂点とする漏斗状に形成され、かつ排水口９が底壁８の略中央に接続されていることによって、貯留室２に沈積しているゴミをオーバーフロー管５を介して好適に排出することができる。
【００２７】
（排水導入管３）
排水導入管３は、貯留室２に排水を導入する部材である。排水導入管３は、貯留室２に導入する排水によって貯留室２に周方向の渦流を生じさせる渦流発生手段を有している。排水導入管３は、排水を分岐する分岐部１０と、分岐部１０から分岐され、貯留室２の側壁６にそれぞれ連結される一対の吐出部１１を有している。一対の吐出部１１は、貯留室２の側壁６の上下に配設されている（以下、貯留室２の側壁６の下部に配設される吐出部を吐出部１１ａとし、貯留室２の側壁６の上部に配設される吐出部を吐出部１１ｂとして説明する）。一対の吐出部１１は、貯留室２の平面視略同一位置で貯留室２の側壁６と接続されている。吐出部１１ａは、側壁６の下方であって、特に底壁８付近に接続されている。吐出部１１ａと側壁６の下端との距離としては、特に限定されないが、１５ｃｍ以下が好ましく、１０ｃｍ以下がより好ましく、５ｃｍ以下がさらに好ましい。吐出部１１ａと側壁６の下端との距離が上記範囲内であることによって、貯留室２内の底壁８付近の周方向に好適に渦流を発生させることができ、ひいては貯留室２に沈積したゴミをオーバーフロー管５から好適に排出することができる。
【００２８】
図３及び図４を参照して、吐出部１１の貯留室２側端部の形状について説明する。図３に示すように、吐出部１１ａは、貯留室２との接続部よりも貯留室２の内面側に突出して形成される突出部位１２ａを有している。突出部位１２ａは、突出端側が貯留室２の周方向に曲折した断面略Ｌ字状に形成されている。突出部位１２ａの突出端部には、吐出口１３ａが形成されている。
【００２９】
また、図４に示すように、吐出部１１ｂは、貯留室２との接続部よりも貯留室２の内面側に突出して形成される突出部位１２ｂを有している。突出部位１２ｂは、突出端側が貯留室２の周方向に曲折した断面Ｌ字状に形成されている。突出部位１２ｂの曲折方向は、突出部位１２ａの曲折方向と同方向とされている。また、突出部位１２ｂの曲折角度は、突出部位１２ａの曲折角度と同様に形成されている。突出部位１２ｂの突出端部には、吐出口１３ｂが形成されている。
【００３０】
（排水導出管４）
排水導出管４は、排水導入管３から導入される排水を導出する部材である。排水導出管４の一端は、排水導入管３の吐出部１１ａと接続されている。具体的には、吐出部１１ａは、貯留室２と接続される高さ位置に形成される横管部と、この横管部から高さ方向に形成される縦管部とを有しており、この横管部の側壁において排水導出管４と接続されている。排水導出管４は、排水導入管３の側壁との接続部に接続口１４を有している。排水導出管４の他端は、排水供給装置１５と接続されている。排水供給装置１５は、排水供給管１６を有している。排水供給装置１５は、排水導出管４によって導出された排水をポンプを用いて排水供給管１６から洗濯水や水洗トイレの洗浄水として供給する。また、排水供給装置１５は、水道水導入管１７を有している。排水供給装置１５は、必要に応じて水道水導入管１７から水道水を導入したうえで排水供給管１６から洗濯水や水洗トイレの洗浄水として供給する。接続口１４には、ゴミ受け部材１８が配設されている。
【００３１】
図５を参照して、ゴミ受け部材１８について説明する。ゴミ受け部材１８は、排水導入時の排水導入管３の流れ方向に沿った複数の歯１９を有する櫛状に形成されている。ゴミ受け部材１８は、排水導入管３の流れ方向反対側の端部で排水導入管３の側壁と連結されている。複数の歯１９は、排水導入管３の流れ方向側先端が先細り形状に形成されている。
【００３２】
（オーバーフロー管５）
オーバーフロー管５は、貯留室２に貯留される排水が一定量を超えた際に排水を排出する部材である。オーバーフロー管５は、貯留室２に接続される流入口（排出口９）を有する本体部２０と、本体部２０の側壁及び貯留室２の側壁６に連結される連通部２１とを有している。
【００３３】
連通部２１は、オーバーフローする貯留室２の一定量に対応する位置で貯留室２の側壁６に連結されている。連通部２１は、オーバーフロー管５から排出される排水量の調整機能を有している。すなわち、連通部２１は、貯留室２の水位が連通部２１よりも高くなった場合にオーバーフロー管５からオーバーフローを起こす機能を有すると共に、貯留室２の水位が連通部２１よりも低くなった場合には貯留室２から本体部２０に空気を導入してオーバーフローを停止する機能を有する。
【００３４】
連通部２１と側壁６の上端との距離としては、特に限定されないが、５ｃｍ以上３０ｃｍ以下が好ましく、１０ｃｍ以上２５ｃｍ以下がより好ましく、１５ｃｍ以上２０ｃｍ以下がさらに好ましい。連通部２１と側壁６の上端との距離が上記上限を超える場合、貯留室２に貯留される排水の量が少なくなるおそれが高くなる。逆に、連通部２１と側壁６の上端との距離が上記下限未満である場合、本体部２０から排出される排水の量が少なくなり、貯留室２内のゴミが好適に排出されないおそれが高くなる。
【００３５】
連通部２１の平均長さＤとしては、特に限定されないが、０．３ｃｍ以上４ｃｍ以下が好ましい。連通部２１の平均長さＤの上限は、３ｃｍがより好ましく、２ｃｍがさらに好ましい。一方、連通部２１の平均長さＤの下限は、０．４ｃｍがより好ましく、０．５ｃｍがさらに好ましい。平均長さＤが上記上限を超える場合、貯留室２内の空気を本体部２０に導入しにくくなり、貯留室２の水量を一定程度以下に保つことが困難になるおそれが高くなる。逆に、平均長さＤが上記下限未満である場合、成形性が低下するおそれが高くなる。
【００３６】
連通部２１の平均直径としては、特に限定されないが、０．５ｃｍ以上４ｃｍ以下が好ましい。連通部２１の平均直径の上限は、３ｃｍがより好ましく、２ｃｍがさらに好ましい。一方、連通部２１の平均直径の下限は、０．７ｃｍがより好ましく、１ｃｍがさらに好ましい。連通部２１の平均直径が上記上限を超える場合、連通部２１から本体部２０に導出される排水の量が多くなり、貯留室２の底壁８近傍に浮遊するゴミの排出口９からの排出機能が低下するおそれが高くなる。逆に、連通部２１の平均直径が上記下限未満である場合、貯留室２に浮遊するゴミが連通部２１内を塞ぎ、通気性が低下するおそれが高くなる。
【００３７】
〈ゴミ排出機構〉
上記渦流発生手段によるゴミの排出機構について説明する。
【００３８】
吐出部１１ａの突出部位１２ａは、突出端側が貯留室２の周方向に折曲して形成されているので、排出口１３ａから貯留室２内に導入される排水は、周方向に沿った方向に吐出される。そして、吐出部１１ａは、側壁６の底壁８付近に接続されているので、排出口１３ａから排出された排水は、底壁８付近で周方向の渦流を形成する。従って、当該排水再利用装置１の壁面に付着したゴミ、特に底壁８に沈積したゴミ及び貯留室２内の底壁８近辺に浮遊しているゴミは、この渦流に巻き込まれて貯留室２の底壁８付近を旋回する。
【００３９】
一方、底壁８には、オーバーフロー管５に接続される排出口９が形成されているので、渦流に巻き込まれたゴミは、貯留室２の水位が連通部２１よりも高くなると排水と共に排出口９からオーバーフロー管５に導入されて外部に排出される。
【００４０】
さらに、当該排水再利用装置１は、側壁６の上方に配設される吐出部１１ｂを有しているので、吐出口１３ｂから貯留室２に導入される排水は、吐出口１３ａから貯留室２に導入される排水と同一方向に吐出される。従って、吐出口１３ｂから吐出された排水は、吐出口１３ａから吐出された排水と同一方向の渦流を形成する。当該排水再利用装置１は、このように、吐出口１３ａと共に吐出口１３ｂから吐出された排水によっても渦流を形成することができるので、渦流の発生を効果的に促進することができる。
【００４１】
加えて、当該排水再利用装置１は、オーバーフロー管５の連通部２１がオーバーフローする貯留室２の一定量に対応する位置で貯留室２の側壁６に連結されているので、貯留室２に貯留される排水が連通部２１に流入しない高さ位置になった場合には、貯留室２内の空気が連通部２１から本体部２０に導入され、オーバーフローを停止させることができる。従って、当該排水再利用装置１は、連通部２１の高さ位置を調整することで、貯留室２に貯留される排水の量を好適に調整することができる。
【００４２】
〈ゴミ受け部材によるゴミの捕集機構〉
続いて、ゴミ受け部材１８によるゴミの捕集機構について説明する。
【００４３】
まず、排水導入管３から排水導出管４に導入される排水と共に流されるゴミは、ゴミ受け部材１８で捕集される。ここで、ゴミ受け部材１８は、排水導入管３の側壁に連結され、かつ排水導入時の配水導入管３の流れ方向に沿った複数の歯１９を有している。従って、排水が排水導入管３から排水導出管４に導入される際にゴミ受け部材１８によって捕集されたゴミは、排水導入管３から貯留室２に導入される排水の流れに乗って、排水と共に貯留室２に導入される。そして、貯留室２に導入されたゴミは、オーバーフロー管５を通って外部に排出される。
【００４４】
当該排水再利用装置１は、ゴミ受け部材１８によって貯留室２のゴミが排水導出管４側に流出するのを防ぐことができる。特に、当該排水再利用装置１は、ゴミ受け部材１８が排水導入管３の流れ方向に沿った歯１９を有する櫛状に形成されているので、ゴミ受け部材１８で一旦捕集したゴミについても排水の流れによって再度貯留室２に流される。従って、当該排水再利用装置１は、ゴミ受け部材１８によって一旦捕集したゴミも再度貯留室２に集めてオーバーフロー管５から排出することができる。また、当該排水再利用装置１は、排水導出管４が排水導入管３の側壁に接続されているので、貯留室２に貯留された排水の他、排水導入管３からの排水を直接排水導出管４側に流入させることができる。従って、当該排水再利用装置１は、必要量に応じた排水を好適に排水導出管４側に導出することができる。
【００４５】
〈利点〉
当該排水再利用装置１は、渦流発生手段によって貯留室２に渦流を発生させることができるので、この渦流によって貯留室２の壁面に付着するゴミを壁面から剥離させやすい。そして、壁面から剥離され貯留室２の排水中に浮遊するゴミは、オーバーフロー管５による排水の排出に際して排水と共に排出されやすい。このため、当該排水再利用装置１は、貯留室２の壁面にゴミが付着しにくく、貯留室２の衛生面を担保しやすい。
【００４６】
当該排水再利用装置１は、渦流発生手段が排水導入管３の吐出口１３から構成され、吐出口１３が貯留室２の周方向に沿った方向に排水を吐出するよう設けられているので、簡易な構造で効果的に渦流を発生させることができる。
【００４７】
当該排水再利用装置１は、複数の吐出口１３が、貯留室２の上下に配設されているので、渦流を広範囲に発生させることができ、この渦流によって貯留室２の壁面に付着するゴミを壁面からさらに剥離させやすい。また、当該排水再利用装置１は、複数の吐出口１３が貯留室２の上下に配設されていることによって、貯留室２内の水圧によって下方の吐出口１３aから貯留室２内への排水の導入が困難になった場合でも、上方の吐出口１３ｂから貯留室２に排水を容易に導入することができる。従って、当該排水再利用装置１は、排水の貯留性を著しく向上させることができる。
【００４８】
当該排水再利用装置１は、オーバーフロー管５が、貯留室２に接続される流入口を有する本体部２０、及び本体部２０の側壁と貯留室２の側壁６に連結される連通部２１を備え、連通部２１が、オーバーフローする貯留室２の一定量に対応する位置で貯留室２の側壁６に連結されているので、貯留室２に貯留される排水の量を容易に制御することができる。従って、当該排水再利用装置１は、再利用するための排水を確保しつつ、一定量を超える排水についてはオーバーフロー管５から好適に排出することができる。また、当該排水再利用装置１は、貯留室２からの排水を閉空間で行うことができるので、オーバーフロー管５を介するゴミの流入を防止することができる。
【００４９】
〈その他の実施形態〉
なお、本発明の排水再利用装置は、上記態様の他、種々の変更、改良を施した態様で実施することができる。
【００５０】
例えば、排水導入管は必ずしも分岐部及び複数の吐出部を有している必要はない。また、排水導入管が分岐部を有しない場合、この排水導入管は貯留室の側壁の下端付近で接続されるのが好ましい。排水導入管が側壁の下端付近で接続されることによって、貯留室の底壁近辺の周方向に好適に渦流を発生させることができ、ひいては貯留室に沈積しているゴミを好適に排出することができる。
【００５１】
また、排水導入管が分岐部を有する場合であっても、例えば貯留室の側壁の下方側で接続される吐出部の吐出口のみが渦流発生手段を有していてもよい。
【００５２】
さらに、排水導入管が複数の吐出部を有する場合であっても、これらの吐出部は必ずしも側壁の上下に配設される必要はない。複数の吐出部は、例えば図６に示すように、貯留室の側壁の対向位置に接続されていてもよい。複数の吐出部が、側壁の対向位置に接続されることによって、渦流の形成が促進され、ひいてはゴミの排出効率を高めることができる。なお、複数の吐出部の個数は特に限定されるものではなく、３個以上であってもよい。
【００５３】
貯留室の底壁は、必ずしも傾斜面を有している必要はない。当該排水再利用装置は、貯留室の底壁が傾斜面を有しない場合であっても、貯留室に沈積しているゴミが渦流に巻き込まれて流動して中央部分に集められ、これらのゴミをオーバーフロー管から排出する排水の流れに巻き込んで排出することができる。
【００５４】
排水導出管は、必ずしも排水導入管に接続されている必要はなく、貯留室に接続されていてもよい。また、オーバーフロー管は、貯留室の排水が一定量を超えた場合にこの排水を排出できるものであれば特に限定されるものではなく、必ずしも連通部を有している必要はない。
【００５５】
当該排水再利用装置は、必ずしも風呂の残り湯を洗濯水や水洗トイレの洗浄水として再利用するための装置として構成される必要はない。当該排水再利用装置は、例えば、風呂の残り湯と洗濯水とを貯留室に貯留し、水洗トイレの洗浄水として再利用するように構成されてもよい。当該排水再利用装置は、洗濯水を貯留室に貯留するようにすれば、洗濯水に含まれる洗剤によって貯留室内の洗浄効果が得られる。従って、当該排水再利用装置は、貯留室内の衛生性をさらに向上することができる。また、風呂の残り湯と洗濯水とを貯留室に貯留する場合の貯留室の排水貯留容量としては、例えば１５０Ｌ以上２００Ｌ以下とすることができる。当該排水再利用装置は、貯留室の排水貯留容量を上記範囲とすることによって、１回の風呂の使用及び１回の洗濯によって、一定量の排水をオーバーフローさせて貯留室内の衛生性を高めつつ、貯留室に所定量の排水を貯留させ、再利用することができる。また、当該排水再利用装置は、洗濯水を水洗トイレの洗浄水として再利用することによって、トイレの洗浄効果を得ることができる。
【産業上の利用可能性】
【００５６】
以上のように、本発明の排水再利用装置は、貯留室のゴミを自動的に除去することによって貯留室の衛生性を向上することができ、風呂の残り湯等の再利用装置として好適に用いられる。
【符号の説明】
【００５７】
１  排水再利用装置
２  貯留室
３  排水導入管
４  排水導出管
５  オーバーフロー管
６  側壁
８  底壁
９  排出口（流入口）
１０  分岐部
１１  吐出部
１２  突出部位
１３  吐出口
１４  接続口
１５  排水供給装置
１６  排水供給管
１７  水道水導入管
１８  ゴミ受け部材
１９  歯
２０  本体部
２１  連通部
【図１】
0005623457.tif 000002
【図２】
0005623457.tif 000003
【図３】
0005623457.tif 000004
【図４】
0005623457.tif 000005
【図５】
0005623457.tif 000006
【図６】
0005623457.tif 000007